(57)【特許請求の範囲】
【請求項１】
芝生などを植えた緑化駐車場であって、車両の車輪が載る為に配列したコンクリートブロックにおいて、該コンクリートブロックは上版と両側壁を有す門形断面を成し、側壁には外方向へ突出した脚を設け、そして側壁には内部空間へ連通する窓穴を貫通し、また上版にも内部空間へ連通する穴を貫通したことを特徴とする緑化駐車場のコンクリートブロック。
【請求項２】
上記脚は側壁の下端両側に設けた請求項１記載の緑化駐車場のコンクリートブロック。
【請求項３】
車両の車輪が載る為にコンクリートブロックを配列し、その為の領域には芝生などを植えた緑化駐車場において、入口側から複数のコンクリートブロックを配列したブロック列を所定の間隔で互いに並行に配置すると共にブロック列後方端には車止めブロックを固定し、また上記両ブロック列の間には別の短いブロック列を配置し、そして、上記ブロック列が配置される以外の領域、上記ブロック列の間に形成される隙間、さらにブロック列を構成する各コンクリートブロック間の隙間には芝生などを植え、上記コンクリートブロックは上版と両側壁を有す門形断面を成し、側壁には外方向へ突出した脚を設け、そして側壁には内部空間へ連通する窓穴を貫通し、また上版にも内部空間へ連通する穴を貫通し、ブロック列は側壁に突出した脚を互いに当接してコンクリートブロックを配列し、さらに各コンクリートブロック間の隙間に植えた芝生などの根は側壁に貫通した窓穴を通過して内部空間へ延びることを特徴とする緑化駐車場。
【発明の詳細な説明】
【技術分野】
【０００１】
本発明は、緑化駐車場とその緑化駐車場の施工に用いるコンクリートブロックに関するものである。
【背景技術】
【０００２】
近年、都市部のアスファルトやコンクリートによる道路舗装整備と都市開発によるオフィス街のビル建設により緑地が減少し、日中の舗装道路やビルの外壁による照り返しによってヒートアイランド現象が発生し、特に夏場では猛暑日が続くことになる。その為に、近年ではビルの屋上や外壁の緑化の開発が推進されて、ヒートアイランド現象を抑制する試みがなされている。
【０００３】
このように、ビルの屋上や外壁の緑化は一部で進んでいるが、コンクリートやアスファルトで舗装された都心の屋外駐車場においては、その広い面積の舗装からの照り返しがヒートアイランド現象の一因にも成っている為に、屋外駐車場を緑化する試みも行なわれている。
【０００４】
しかし、第１に、駐車場のスペースは幅が２．５ｍ、長さ（奥行き）が５ｍの区画に仕切られ、この駐車区画内に１台の車両が駐車することが出来、駐車時の車両下に芝生などを植えてもタイヤによって踏み潰され、最終的には該芝生は枯れてしまい、緑化することは容易でない。そこで、芝生を植えて緑化可能な領域は駐車可能な区画以外に限られた狭いスペースに限定されて駐車場の緑化の効果は期待できない。
【０００５】
そこで、近年では駐車エリアにコンクリートブロックを一定空間を残して配列し、この空間に芝生を植えることで駐車場の緑化が試みられている。図４はコンクリートブロック（イ）、（イ）・・・を配列した駐車１区画を表す具体例である。この駐車区画には車両の車輪が載る２本のブロック列（ロ）、（ロ）が所定の間隔をおいて互いに並列し、各ブロック列（ロ）、（ロ）の後端には車止めブロック（ハ）、（ハ）が固定されている。
【０００６】
そして、これら各ブロック列（ロ）、（ロ）の間に形成される領域、及び各ブロック列（ロ）、（ロ）のコンクリートブロック（イ）、（イ）・・・間に形成される隙間（ニ）、（ニ）・・・に芝生を植えて緑化することが出来る。車輪はコンクリートブロック（イ）、（イ）・・・の上を落ちないように移動するが、各コンクリートブロック（イ）、（イ）・・・間の芝生を傷めない間隔と成っている。
【０００７】
コンクリートブロック（イ）、（イ）・・・は上に載った車輪がコンクリートブロック（イ）、（イ）・・・から落下することなく間に植えた芝生を傷めない為には、その間隔は小さくなり、その為に芝生の根は伸び難く、芝生の生育の障害となる。ところで、駐車場を緑化する為の技術は従来から色々知られている。
【０００８】
特開平７−１５０５０５号に係る「緑化舗装用ブロック」は、駐車場などに芝生などの緑化植物の植生を可能とする舗装を施すのに用いられる緑化舗装用ブロックで、緑化性に優れ、舗装としての耐圧性を有効に与えることができ、さらに敷設作業性にも優れている。そこで、互いに突き合わせた状態で上下貫通孔を互いの間に形成可能とする突合せ突起を有する本体部、及び本体部の上面に互いに適宜な間隔を空けるようにし且つ緑化植物の根張りに必要な深さを与える高さで突設された複数の露出面用突起を備えた構造としている。
【０００９】
特開２００８−３０１７３２号に係る「芝生舗装用基盤材、及びその芝生舗装用基盤材を用いた芝生の施工方法」は、駐車場のように自動車の出入りが頻繁に行なわれるような場所において、地盤が締め固められて芝の根の成長に支障を生じさせることもなく、且つ地盤が緩みすぎて荷重、踏圧等に耐えられないという事態を生じることもなく、舗装面を形成するのに必要な硬さと、緑地面を形成するのに必要な芝の根の生育空間とを具備した芝生舗装用基盤材である。
【００１０】
すなわち、多数の粗粒材を骨材として具備させるとともに、該多数の粗粒材間のかみ合わせ空隙部内に、前記粗粒材より粒径の小さい多数の細粒材を収容し、且つ前記粗粒材間のかみ合わせ空隙部は、芝の根の生育が可能となるような空間を有して形成されているとともに、該かみ合わせ空隙部内で芝の根が生育しうるように芝苗、芝種子等の芝材が具備されている。
【特許文献１】特開平７−１５０５０５号に係る「緑化舗装用ブロック」
【特許文献２】特開２００８−３０１７３２号に係る「芝生舗装用基盤材、及びその芝生舗装用基盤材を用いた芝生の施工方法」
【発明の開示】
【発明が解決しようとする課題】
【００１１】
このように、従来のコンクリートブロックを配列し、その間に芝生を植えた緑化駐車場には上記のごとき問題がある。本発明が解決しようとする課題はこの問題点であり、根が伸びる根域率を高めて、芝生が枯れることなく元気で生育することが出来る緑化駐車場及びコンクリートブロックを提供する。
【課題を解決するための手段】
【００１２】
本発明に係る緑化駐車場は、複数のコンクリートブロックを配列して構成され、各コンクリートブロックの間には芝生が植えられている。ところで、車両が駐車する為の１駐車区画は左右の車輪が移動して載ることが出来るブロック列を左右に設け、また、左右のブロック列の間であって入口側には複数のコンクリートブロックを配列している。
【００１３】
ところで、本発明の駐車場に配列されるコンクリートブロックは、直方体をしたブロック形態ではなく、門形断面を有し、しかも両側壁には窓穴が貫通している。又、上版にも穴を形成し、そして、上記側壁には外方向へ突出した脚を設けている。ここで、門形コンクリートブロックのサイズ、窓穴の大きさ及び個数、そして上版に形成される穴の形状、大きさ、及び個数は限定しない。
【００１４】
本発明の緑化駐車場は上版を水平にしてコンクリートブロックを配列した構造であって、ブロック列以外の領域、及びコンクリートブロック間の隙間には芝生などが植えられている。その為に、芝生などが植えられる領域には客土が敷詰められ、また門形コンクリートブロックの内部空間にも客土が詰められて、窓穴を通過して伸びる根が内部空間に広がる。
【発明の効果】
【００１５】
本発明の駐車場はその１駐車区画に複数のコンクリートブロックを配列した２本のブロック列を所定の間隔をおいて設けており、車両の左右車輪はこれらブロック列のコンクリートブロック上に載って駐車することが出来る。そして、ブロック列以外の領域及び各コンクリートブロックの間には芝生などが植えられることで、駐車場のヒートアイランド現象を抑制することが出来る。
【００１６】
また、両ブロック列の間であって、入口側にも複数のコンクリートブロックを配列したブロック列を設けていることで、芝生などを踏み付けることなく車両の出入りを行なうことが可能である。ところで、本発明のコンクリートブロックは門形断面を有していて、両側壁には窓穴を設けている為に、コンクリートブロック間の隙間に植えた芝生などの根はこの窓穴を通過して内部空間へ侵入することが出来る。
【００１７】
すなわち、芝生などの根はコンクリートブロックの側壁によって遮られることなく内部空間へ伸びることが出来、芝生などの生育に大きな効果となる。また、コンクリートブロックの上版には穴が貫通している為に、雨水はこの穴から内部へ浸透し、内部へ伸びた芝生などの根を潤すことに成る。一方、本発明のコンクリートブロックは等間隔で配列してブロック列を構成しているが、側壁から外側へ突出して設けた脚は互いに当接することで各コンクリートブロックは規則正しく配列することが出来る。
【図面の簡単な説明】
【００１８】
【図１】本発明に係る緑化駐車場の平面図と断面図。
【図２】コンクリートブロックの具体例。
【図３】具体的な寸法表示した本発明の緑化駐車場の具体例。
【図４】従来の緑化駐車場。
【発明を実施するための形態】
【００１９】
図１は本発明に係る緑化駐車場を示す実施例であり、（ａ）は平面図、（ｂ）は断面図をそれぞれ表している。同図の１はコンクリートブロック、２は路盤層、３は砕石層、４は敷砂層、５は客土をそれぞれ表している。同図は駐車場に設けられる１駐車区画であって、駐車場には複数の駐車区画が規則正しく配列して設けられ、この１駐車区画に１台の車両が駐車することが出来る。
【００２０】
上記コンクリートブロック１，１・・・は直線状に配列して２本のブロック列６ａ，６ｂを構成し、このブロック列６ａ，６ｂは所定の間隔を設けて並列し、そして、両ブロック列６ａ，６ｂの間であって入口側には別のブロック列７を設けている。同図に示す各ブロック列６ａ，６ｂは１２個のコンクリートブロック１，１・・・の配列によって構成され、また、ブロック列７は４個のコンクリートブロック１，１・・・の配列によって構成している。
【００２１】
そして、上記ブロック列６ａ，６ｂの後方端には車止めブロック８ａ，８ｂを固定している。コンクリートブロック１，１・・・は敷砂層４の上に配列され、車止めブロック８ａ，８ｂはコンクリートブロック１の上版と同一面となる客土５の上に配置されてクギ９，９・・・を砕石層３に打込んで固定されている。従って、車止めブロック８ａ，８ｂはコンクリートブロック１，１・・・の上版より上方へ突出し、駐車の為に後退する車両の車輪が当って車は停止することが出来る。
【００２２】
ところで、駐車区画にはコンクリートブロック１，１・・・が配置される以外の領域１０には芝生が植えられ、また各コンクリートブロック１，１・・・間の隙間１１，１１・・・にも芝生が植えられる。ここで、緑化駐車場に植えられる植物は一般的に芝生が適しているが、該芝生に限定するものではなく芝生のように地面を覆うことが出来ると共に繁殖率の高い地被植物であればよい。
【００２３】
図２はコンクリートブロック１を示す具定例である。該コンクリートブロック１はその断面を門形とし、上版１２と両側壁１３，１３を有している。そして、側壁１３，１３の両側には外方向へ脚１４，１４・・・を突出している。また、側壁１３には３ヶ所に窓穴１５，１５・・・が貫通して設けられ、この窓穴１５，１５・・・通して内部空間１６と連通している。さらに、上版１２には３ヶ所に穴１７，１７・・・が貫通し、この穴１７，１７・・・を通して内部空間１６と連通している。
【００２４】
図１に示すブロック列６ａ，６ｂ、及びブロック列７はこのコンクリートブロック１を配列して構成したものであり、隣合うコンクリートブロック１，１・・・は脚１４，１４・・・が互いに当接することで規則正しく配列される。そして、各コンクリートブロック１，１・・・間には一定の隙間１１，１１・・・が設けられ、この隙間１１，１１・・には客土５が詰められる。勿論、内部空間１６，１６・・・にも客土５が詰められる。
【００２５】
本発明に係る緑化駐車場は図２に示すコンクリートブロック１，１・・・を配列して構成することで、駐車区画の表面を覆う芝生の領域は大きくなり、また、芝生の根が広がることが出来る範囲（根域率）は拡大し、その為に該芝生の生育は向上し、しかも芝生が劣化した場合などの自己補修は早くなる。一方、本発明のコンクリートブロック１を使用することで、排水性が阻害されることはなく、芝生の根腐りが防止される。
【００２６】
図３は緑化駐車場の１駐車区画を幅寸法２５００ｍｍ、奥行き寸法５０００ｍｍの一般的な大きさとし、そしてコンクリートブロック１の長さを６２０ｍｍ、幅を３４０ｍｍ、高さを２００ｍｍ、上版の厚さを４０ｍｍ、側壁厚さを３５ｍｍとし、隣合うコンクリートブロック１，１・・・間の隙間を１００ｍｍ、さらに各ブロック列間の隙間を７０ｍｍとした場合、図３に示すように両ブロック列６ａ，６ｂには１２個のコンクリートブロック１，１・・・が配列し、ブロック列７には４個のコンクリートブロック１，１・・・が配列した場合の緑被率は６８％となる。
【００２７】
そして、該コンクリートブロック１は前記図２に示すように門形断面をなし、両側壁１３，１３には窓穴１５，１５・・・が貫通して設けられることで根は内部空間１６へ延びることが出来、芝生の根域率（地中内で根が広がることが出来る範囲の割合）は８５％となる。ここで、本発明のコンクリートブロック１，１・・・を配列した緑化駐車場の形態は何も図１に示す場合に限るものではなく、図１に示す緑化駐車場の駐車区画形態はあくまでも１具体例である。
【００２８】
図１に駐車場の断面を示しているように、水捌けをよくする為に路盤層２の表面を傾斜して表面に降った雨水が後方へ流れるように成っている。すなわち、雨水は芝生が生えている領域１０及びコンクリートブロック１，１・・・間の隙間１１，１１・・・、並びにコンクリートブロック１，１・・・の上版１２，１２・・・に降り注ぐ。上版１２，１２・・・に降った雨水は穴１７，１７・・・を通過して敷砂層４、砕石層３へ流れ落ちて排水される。
【符号の説明】
【００２９】
１   コンクリートブロック
２   路盤層
３   砕石層
４   敷砂層
５   客土
６   ブロック列
７   ブロック列
８   車止めブロック
９   クギ
10   領域
11   隙間
12   上版
13   側壁
14   脚
15   窓穴
16   内部空間
17   穴
【図１】
0005815339.tif 000002
【図２】
0005815339.tif 000003
【図３】
0005815339.tif 000004
【図４】
0005815339.tif 000005